(57)【要約】【課題】安定液に含まれる砂分率を効率的に計測して評価することができる安定液評価方法及び安定液評価装置を提供する。【解決手段】評価装置２０は、第１比重計測部２１と第２比重計測部２２と制御部３１とを備える。第１比重計測部２１は、安定液に含まれる砂分を取り除くサイクロン装置２５に供給される安定液の比重である第１計測値を計測する。第２比重計測部２２は、サイクロン装置２５から排出され砂分を除去した安定液の比重である第２計測値を計測する。制御部３１は、第１計測値と第２計測値との比較結果に基づく値によって、安定液における砂分率を算出する。【選択図】図１
2020091187.tif 000002
【特許請求の範囲】
【請求項１】
安定液の砂分を取り除く砂分除去装置に供給される前記安定液の比重を計測した第１計測値と、前記砂分除去装置から排出され前記砂分を除去した安定液の比重を計測した第２計測値との比較結果に基づいて、前記安定液における砂分率を計測する安定液評価方法。
【請求項２】
安定液の性状を評価する安定液評価装置であって、
安定液に含まれる砂分を取り除く砂分除去装置に供給される前記安定液の比重である第１計測値を計測する第１比重計測部と、
前記砂分除去装置から排出され前記砂分を除去した安定液の比重である第２計測値を計測する第２比重計測部と、
前記第１計測値と前記第２計測値との比較結果に基づく値によって、前記安定液における砂分率を計測する算出部とを備えたことを特徴とする安定液評価装置。
【発明の詳細な説明】
【技術分野】
【０００１】
本発明は、場所打ちのコンクリート杭や地中連続壁の工事等で使われる安定液を評価するための安定液評価方法及び安定液評価装置に関する。
【背景技術】
【０００２】
掘削した孔の孔壁崩壊防止のために安定液（ベントナイト泥水）が用いられる。この安定液の性状は、孔内に構築する杭体コンクリートの品質に影響することがあるため、安定液の性状を測定している。一般に、安定液の粘度、比重及び砂分率は、ファンネル粘度計、マッドバランス及び砂分計をそれぞれ用いて計測される。更に、安定液の性状を定期的に測定する技術もある（例えば、特許文献１参照。）。この文献に記載の泥水の性状測定方法では、安定液の比重、粘度及び砂分率を計測する。この場合、砂分率は、泥水測定容器から流出させた泥水に含まれる砂分を分級し、分級した砂分の重量を測定する。
【先行技術文献】
【特許文献】
【０００３】
【特許文献１】特開平８−３５９２４号公報
【発明の概要】
【発明が解決しようとする課題】
【０００４】
しかしながら、砂分率等の安定液の性状を測定するには、何れも、時間と手間が掛かっていた。
【課題を解決するための手段】
【０００５】
上記課題を解決する安定液評価方法は、安定液の砂分を取り除く砂分除去装置に供給される前記安定液の比重を計測した第１計測値と、前記砂分除去装置から排出され前記砂分を除去した安定液の比重を計測した第２計測値との比較結果に基づいて、前記安定液における砂分率を計測する。
【０００６】
上記課題を解決する安定液評価装置は、安定液の性状を評価する安定液評価装置であって、安定液に含まれる砂分を取り除く砂分除去装置に供給される前記安定液の比重である第１計測値を計測する第１比重計測部と、前記砂分除去装置から排出され前記砂分を除去した安定液の比重である第２計測値を計測する第２比重計測部と、前記第１計測値と前記第２計測値との比較結果に基づく値によって、前記安定液における砂分率を計測する算出部とを備える。
【発明の効果】
【０００７】
本発明によれば、安定液の砂分率を効率的に計測して安定液の性状を評価することができる。
【図面の簡単な説明】
【０００８】
【図１】実施形態における評価装置のシステム構成を説明する説明図。
【図２】実施形態における比重差を説明する説明図であって、（ａ）は従来用いられていた砂分計を示し、（ｂ）は、空気、水及び土粒子の関係を説明する説明図。
【図３】実施形態における従来法による砂分率と換算砂分との関係を説明する説明図であって、（ａ）は各安定液の計測値、（ｂ）は（ａ）の数値を示したグラフ。
【発明を実施するための形態】
【０００９】
以下、図１〜図３を用いて、安定液評価方法及び安定液評価装置を具体化した一実施形態を説明する。ここでは、杭孔から排出して回収する安定液の砂分率等の性状を計測して評価する。
【００１０】
図１に示すように、掘削された杭孔１０の内部は、安定液１１で充填される。杭孔１０の底部に、ポンプ１５を配置する。このポンプ１５には、回収管１６が接続される。ポンプ１５を駆動させて、回収管１６から安定液１１を杭孔１０の外部に排出する。回収管１６は、プラント１７に接続される。プラント１７は、安定液の砂分を沈降させて除去する複数の水槽を備える。そして、プラント１７は、回収した安定液の砂分を各水槽において沈殿させ、砂分を除去した良好な安定液を、杭孔１０に供給する。これにより、杭孔１０内の安定液を、良好な安定液と置換する。
【００１１】
回収管１６には、バルブ（図示せず）を介して供給管１８が分岐により接続される。この供給管１８は、評価装置２０に接続され、回収管１６を流れる安定液の一部を評価装置２０に供給する。ここでは、回収管１６を流れる流量に対して、安定液の１／５〜１／３０程度の量を供給管１８に供給する。本実施形態では、供給管１８に流す量を、回収管１６を流れる安定液の１／１５程度に設定する。
【００１２】
評価装置２０は、第１比重計測部２１、第２比重計測部２２、泥水槽２３、サイクロン装置２５及び粘度計測部２６を備える。第１比重計測部２１、第２比重計測部２２及び粘度計測部２６にそれぞれに供給された安定液は、泥水槽２３に蓄積後、プラント１７に供給される。
【００１３】
評価装置２０において、供給管１８は、砂分除去装置としてのサイクロン装置２５に接続される。更に、供給管１８の分岐管が、バルブ２１ｖを介して、第１比重計測部２１に接続される。この第１比重計測部２１は、供給管１８を流れる安定液の比重（第１計測値）を測定する。第１比重計測部２１は、上面が開口した一定容量の円筒形状の容器２１ｃと、容器２１ｃ内の安定液の重量を計測する圧力計２１ａとを備える。
【００１４】
容器２１ｃの下端には分岐管が接続され、容器２１ｃには下方から安定液が供給される。この供給によって容器２１ｃ内部の安定液が上方に流れ、容器２１ｃの上開口から溢れる。更に、第１比重計測部２１の容器２１ｃの下方には、バルブを介して、必要に応じて容器２１ｃ内部の安定液を排出するためのドレーン管２１ｄが設けられる。
【００１５】
圧力計２１ａは、容器２１ｃにおいて上面から所定距離（例えば１ｍ）低い位置（取付位置）に取り付けられる。そして、圧力計２１ａは、取付位置から上方にある容器２１ｃ内の安定液の重量（圧力）を計測し、その計測値を、安定液の比重として管理ユニット３０に送信する。
【００１６】
また、供給管１８の分岐管は、粘度計測部２６に接続される。この粘度計測部２６は、供給管１８を流れる安定液の粘度を計測する。本実施形態では、この粘度計測部２６として振動式粘度計を用いる。
【００１７】
供給管１８に接続されるサイクロン装置２５は、安定液中に含まれる砂分（0.075ｍｍ以上の粒径の土粒子）を分離する遠心分離器である。このサイクロン装置２５は、供給管１８を流れる安定液から分離した砂分を、下方から排出する。また、サイクロン装置２５は、砂分を分離した安定液を、上部に接続した排出管２８を介して、泥水槽２３に排出する。このサイクロン装置２５の詳細は、後述する。
【００１８】
排出管２８の分岐管は、バルブを介して第２比重計測部２２に接続される。第２比重計測部２２は、排出管２８を流れる安定液の比重を測定する。ここでは、第２比重計測部２２は、第１比重計測部２１と同じ構成である。この第２比重計測部２２も、一定容量の円筒形状の容器２２ｃと、容器２２ｃ内の安定液の重量（圧力）を計測する圧力計２２ａを備える。更に、第２比重計測部２２の容器２２ｃの下方には、バルブを介して、ドレーン管２２ｄが設けられる。
【００１９】
更に、評価装置２０は、管理ユニット３０を備える。管理ユニット３０は、第１比重計測部２１、第２比重計測部２２及び粘度計測部２６に接続され、これらが計測した計測値を取得する。
【００２０】
管理ユニット３０は、制御部３１及び表示部３２を備える。
制御部３１は、安定液に含まれる砂分率を算出する。砂分率は、泥水（安定液）中に存在する砂の容積の割合である。制御部３１は、第１比重計測部２１により計測した比重（第１計測値）及び第２比重計測部２２により計測した比重（第２計測値）を取得する。そして、制御部３１は、第１計測値及び第２計測値と、予め記憶している砂分算出式（後述する（２）式）とを用いて砂分率を算出する。この砂分率の算出の詳細は後述する。そして、制御部３１は、算出した砂分率、計測した安定液の比重（第１計測値）、粘度計測部２６から取得した粘度を、メモリに記憶する。
【００２１】
更に、管理ユニット３０は、第１比重計測部２１及び第２比重計測部２２のバルブ２１ｖ，２２ｖ、ドレーン管２１ｄ，２２ｄのバルブの開閉制御を行なう。
表示部３２は、安定液の比重、粘度、砂分率を表示するディスプレイである。
【００２２】
＜サイクロン装置２５＞
次に、砂分を除去するサイクロン装置２５の詳細について説明する。
ここで、砂分を分離するためには、サイクロン装置２５の有効径と、安定液のサイクロン装置２５の滞留時間とから算出する砂の沈降速度を考慮する。
サイクロン装置２５における砂の沈降速度（Ｖ）は、ストークスの式（以下の（１）式）で示される。
Ｖ＝（ρs−ρw）ｇＤ２／１８μ＝（ρs−ρw）Ｖｔ２Ｄ２／１８μｒ…（１）
【００２３】
ここで、ρsは砂の密度（2.65×１０3ｋｇ／ｍ３）、ρwは水の密度（1.00×１０3ｋｇ／ｍ3）、ｇは重力加速度（9.807ｍ/ｓ2）、μは泥水の粘度（Ｐａ・ｓ）、Ｄは砂粒子の直径（ｍ）、ｒは遠心場の半径（ｍ）、Ｖｔは周速度（ｍ／ｓ）である。
上述した（１）式に示したように、砂の沈降速度は、除去対象となる砂粒子の直径、周速度及び粘度の影響を受ける。
【００２４】
砂の粒径は0.075ｍｍ〜２ｍｍである。本実施形態では、実際の現場で発生する土砂の性状を考慮して、サイクロン装置２５は、安定液中に含まれる砂の粒径を除去できるように設定する。また、杭孔１０内の安定液を置換する作業中において、安定液の粘度の変動分を考慮し、サイクロン装置２５の周速度を調整する。この周速度は、サイクロン装置２５の直径（形状）やサイクロン装置２５の流速で決まるため、安定液の速度（流入速度）により調整する。なお、泥水の粘度が更に増加することが考えられる場合には、サイクロン装置２５の周速度を更に高くする。
【００２５】
＜砂分率の算出方法＞
次に、図２及び図３を用いて、制御部３１が実行する砂分率の算出方法について説明する。ここで、本実施形態の算出方法を用いて算出した砂分率（％）を換算砂分と称する。
本実施形態の制御部３１は、次の（２）式により換算砂分ｘ（％）を算出する。
ｘ＝140×（ρi−ρf）／（2.65−ρf）…（２）
ここで、ρi，ρfは、それぞれ、サイクロン装置２５を通過する前の安定液の比重（第１計測値）、通過後の安定液の比重（第２計測値）である。この換算砂分の算出は、比重差が主として砂分に起因するものとして、比重差と砂分の損失の差とから求められる。
【００２６】
具体的には、図２（ａ）を用いて、砂分計５０を用いた従来法による砂分率の計測方法について説明する。この砂分計５０では、これに入れた１００ｍＬの安定液を用いる。砂分計５０は、この中の７５μｍ以下の粒子をフルイで取り除いて水で洗浄し、水５１中に残存した砂（７５μｍ以上の土粒子）の積層容積を測定することにより、砂分率を取得する。例えば、砂分率が５％とは、砂分計５０に入れた１００ｍＬの安定液中に５ｍＬの砂が含まれることを示している。
【００２７】
安定液１００ｍＬ当りのサイクロン装置２５を通過する前後の比重差による質量差は、次の通りに示される。
比重差による質量差＝100×（ρi−ρf）…（３）
【００２８】
ここで、図２（ｂ）の土（砂）の構成図に示すように、空気、水及び土粒子の体積を、それぞれＶa，Ｖw，Ｖsとし、空気と水の合計の体積をＶv，空気と水と土粒子の合計の体積をＶとする。
そして、サイクロン装置２５を通過する前後の砂分の損失による質量差は、砂分計５０の砂が堆積する部分の砂５２の間隙率をｎ（＝Ｖv／Ｖ×100）、砂の密度をρｓ（＝2.65ｇ／ｃｍ３）とすると、次の通りに示される。
砂分の損失による質量差＝（ρs−ρf）×ｘ×（１−ｎ／100）…（４）
【００２９】
サイクロン装置２５を通過した前後の比重による質量差と、砂分の損失による質量差は（概ね）等しいので、上記（３）式及び（４）式から、次式が得られる。
100×（ρi−ρf）＝（ρs−ρf）×ｘ×（１−ｎ／100）…（５）
【００３０】
この（５）式を、換算砂分ｘについて変形すると、次式が得られる。
ｘ＝100（ρi−ρf）／（（ρs−ρf）×（１−ｎ／100））…（６）
【００３１】
ここで、評価装置２０の特質と、砂５２の間隙比を考慮した係数をαとすると、換算砂分ｘの値は、次式で表される。この係数αは、評価装置２０の使用条件ごとに個別に設定可能である。
ｘ＝α×（ρi−ρf）／（ρs−ρf）
今回は、実験時の測定値の相関から、α＝140とし、また、砂の比重を2.65として、次式で換算した。
ｘ＝140×（ρi−ρf）／（2.65−ρf）
【００３２】
＜従来法による砂分率と換算砂分との関係＞
図３（ａ）には、異なる性状の安定液について、砂分計５０で計測した（従来法による）砂分率と、本発明の換算砂分とを示している。更に、図３（ｂ）には、従来法よる砂分率の値を横軸に取り、換算砂分を縦軸に取ったグラフを示す。これによれば、従来法による砂分率と換算砂分とがほぼ対応し、換算砂分が従来法とほぼ同じ精度であることを示している。
【００３３】
＜評価装置２０の計測処理＞
次に、図１に示した評価装置２０における計測処理について説明する。
まず、杭孔１０に配置されたポンプ１５を駆動して、杭孔１０の安定液を、回収管１６を介して、プラント１７に排出する。更に、プラント１７において、調整された安定液を杭孔１０に供給する。
【００３４】
ここで、回収管１６の安定液の一部は、供給管１８を介して、評価装置２０のサイクロン装置２５に供給される。この場合、バルブ２１ｖが開いているので、供給管１８から第１比重計測部２１に安定液を供給する。本実施形態では、評価装置２０を流れる安定液の流量の一部（例えば、３０％以下）が第１比重計測部２１に流れるように調整する。この安定液は、第１比重計測部２１の容器２１ｃの下方から供給され、容器２１ｃ内の安定液を上へと流して、容器２１ｃの上からオーバーフローさせる。第１比重計測部２１の圧力計２１ａは、定期的に（例えば、５秒毎に）容器２１ｃ中の安定液の圧力（比重）を計測する。圧力計２１ａは、計測した安定液の測定値（第１計測値）を管理ユニット３０に送信する。
【００３５】
更に、供給管１８の分岐管を介して、安定液は粘度計測部２６に供給される。粘度計測部２６は、安定液の粘度を、定期的に（例えば、５秒毎に）計測し、計測した測定値（粘度）を管理ユニット３０に送信する。
【００３６】
また、サイクロン装置２５で砂分が除去された安定液は、排出管２８を介して泥水槽２３に排出される。この場合、バルブ２２ｖを開いて、排出管２８の安定液を第２比重計測部２２に供給する。本実施形態では、第１比重計測部２１とほぼ同じ流量の安定液が、第２比重計測部２２に流れるように調整する。この安定液は、第２比重計測部２２の容器２２ｃの下方から徐々に供給されるので、容器２２ｃ内の安定液は上へとゆっくり流れ、容器２２ｃの上からオーバーフローする。第２比重計測部２２の圧力計２２ａは、定期的（例えば、５秒毎）に容器２２ｃ中の安定液の圧力（比重）を計測し、計測した安定液の測定値（第２計測値）を管理ユニット３０に供給する。
【００３７】
管理ユニット３０の制御部３１は、取得した第１計測値及び第２計測値と砂分算出式とを用いて、砂分率を算出する。制御部３１は、算出した砂分率と、同時期に取得した安定液の比重（第１計測値）及び粘度とを関連付けて、内蔵するメモリに記憶する。そして、管理ユニット３０の制御部３１は、安定液に関する情報（砂分率、比重及び粘度）を表示部３２に表示する。管理者は、表示部３２に表示された計測値（安定液の砂分率等）を監視する。
【００３８】
また、管理ユニット３０は、定期的に（例えば、３０分毎に）、バルブ２１ｖ，２２ｖを閉じて、ドレーン管２１ｄ，２２ｄのバルブを開く。これにより、第１及び第２比重計測部（２１，２２）の容器（２１ｃ，２２ｃ）の下端から、容器２１ｃ，２２ｃ内の安定液が排出される。所定時間（例えば数秒）の経過後、ドレーン管２１ｄ，２２ｄのバルブを閉じ、かつバルブ２１ｖ，２２ｖを開いて、第１及び第２比重計測部（２１，２２）の容器（２１ｃ，２２ｃ）を安定液で満たした後、安定液の比重を再び計測する。これにより、一定時間間隔で、評価装置２０のキャリブレーションが行なわれる。
【００３９】
＜具体例＞
ここでは、回収液の砂分率について説明する。
例えば、第１比重計測部２１の測定値（第１計測値）と第２比重計測部２２の測定値（第２計測値）が、以下の表１に示す値であったと仮定する。この場合、換算砂分は、判定値（1.0％）以上であるため、安定液の置換作業を継続する。そして、換算砂分が判定値より小さくなった場合に、安定液の置換作業を停止する。
【００４０】
【表１】
2020091187.tif 000003
【００４１】
本実施形態によれば、以下のような効果を得ることができる。
（１）本実施形態では、サイクロン装置２５に供給される安定液の比重（第１計測値）と、サイクロン装置２５において砂分を除去した安定液の比重（第２計測値）とを含む式から、安定液の砂分率を算出する。これにより、安定液の砂分率を効率的に計測することができる。
【００４２】
（２）本実施形態では、杭孔１０からプラント１７に回収される安定液の一部を評価装置２０に流して、評価装置２０において安定液の性状を評価する。これにより、杭孔１０からプラント１７へ流れる安定液の性状を効率的に評価することができる。
【００４３】
（３）本実施形態では、第１及び第２比重計測部（２１，２２）の容器（２１ｃ，２２ｃ）の下端部に供給管１８の分岐管が接続される。これにより、容器２１ｃ，２２ｃには、下方から安定液が供給されて上方へと流れ、容器２１ｃ，２２ｃ内の一部を徐々に入れ替えながら、安定液の比重を計測するので、急激な性状変化を生ぜずに、流れる安定液の比重を連続して効率的に計測することができる。更に、第１比重計測部２１が接続される供給管１８から、第２比重計測部２２が接続される排出管２８まで、安定液は数秒で流れる。これにより、第１比重計測部２１及び第２比重計測部２２においては、ほぼ同じ安定液について、ほとんど遅延なく、ほぼ同時に比重を計測することができる。
【００４４】
（４）本実施形態の第１及び第２比重計測部（２１，２２）は、容器（２１ｃ，２２ｃ）において、開口した上端部まで１ｍとなる位置に設けた圧力計２１ａ，２２ａを備える。これにより、圧力計２１ａ，２２ａは、容器２１ｃ，２２ｃ内の圧力を計測するので、各容器２１ｃ，２２ｃ内の安定液の比重を効率的に計測することができる。
【００４５】
（５）本実施形態では、管理ユニット３０の制御部３１は、同時期において計測した安定液の比重、粘度、砂分率の計測値を表示部３２に表示する。これにより、安定液の性状管理に必要な複数の性状を同時期に把握することができる。
【００４６】
（６）本実施形態では、管理ユニット３０の制御部３１は、定期的に、第１比重計測部２１及び第２比重計測部２２のドレーン管２１ｄ，２２ｄのバルブを開く。これにより、評価装置２０のキャリブレーションを、一定時間間隔で行なうことができる。
【００４７】
本実施形態は、以下のように変更して実施することができる。本実施形態及び以下の変更例は、技術的に矛盾しない範囲で互いに組み合わせて実施することができる。
・上記実施形態では、第１比重計測部２１が計測した第１計測値から第２比重計測部２２が計測した第２計測値を減算（引き算）した比重差を、砂の比重（2.65）から第２計測値を減算した比重差で除算して、係数（140）を乗算することで砂分率を算出した。安定液の砂分率は、この係数（140）や算出方法に限定されず、例えば、第１計測値を第２計測値で除算した値を、対応する換算テーブルを用いて砂分率を算出する等、第１計測値と第２計測値との比較結果を用いて、砂分率を計測することができればよい。更に、計測した粘度に応じて砂分率を調整して算出してもよい。具体的には、第１計測値と第２計測値とを比較した値を、計測した粘度の値に応じた補正値を用いて補正し、この補正値に応じて砂分率を算出する。
【００４８】
・上記実施形態では、管理ユニット３０の制御部３１は、算出した砂分率、計測した比重及び粘度を表示部３２に表示した。これに加えて、制御部３１が、算出した砂分率が基準値を超えたか否かを判定し、その判定結果を示してもよい。更に、管理ユニット３０は、安定液の性状に関する情報であって、砂分率、比重及び粘度以外の情報、例えば、安定液のｐＨや濾過水量等を管理してもよい。更に、管理ユニット３０に通信部を設け、砂分率、比重及び粘度を、管理者の端末に送信してもよい。
【００４９】
・上記実施形態では、管理ユニット３０の表示部３２に表示された砂分率を管理者が監視する。これに代えて、管理ユニット３０の制御部３１が、砂分率が判定基準値以下となった場合に、安定液の回収及び供給を自動的に停止してもよい。この場合、回収管１６及び供給管にバルブを設ける。そして、制御部３１は、砂分率が判定基準値以下となった場合には、これらバルブを閉鎖する指示信号を出力して安定液の供給及び回収を制御する。
【００５０】
・上記実施形態では、杭孔１０からプラント１７に流れる回収液について評価を行なった。評価する対象となる安定液は、杭孔１０から回収される回収液に限らず、杭孔１０に供給される供給液であってもよい。この場合には、プラント１７から杭孔１０に安定液を供給する管路に供給管を介して評価装置２０を取り付ける。例えば、次の表２に示されるように、供給される安定液に含まれる砂分率が、基準値（例えば、１．０％）以下の場合には、安定液の供給を継続する。
【００５１】
【表２】
2020091187.tif 000004
【００５２】
そして、供給される安定液に含まれる砂分率が、基準値（例えば、1.0％）以上となる場合には、アラームを表示部３２に表示してもよい。更に、このアラームを管理者の端末に送信してもよい。
更に、杭孔１０からプラント１７に流れる回収液の管路及びプラント１７から杭孔１０に供給される供給液の管路に、それぞれ評価装置２０を設けてもよい。
【００５３】
・上記実施形態では、供給管１８を介して評価装置２０に供給された安定液は、泥水槽２３に一時的に蓄積された後、プラント１７に還送する。泥水槽２３に安定液を一時的に蓄積する代わりに、評価装置２０に供給された安定液を、供給管１８を接続した管路（上記実施形態では回収管１８）の下流側に戻してもよい。
・上記実施形態では、砂分除去装置としてサイクロン装置２５を用いた。砂分を除去することができる装置であれば、サイクロン装置２５に限定されない。
【符号の説明】
【００５４】
１０…杭孔、１１…安定液、１５…ポンプ、１６…回収管、１７…プラント、１８…測定供給管、２０…評価装置、２１…第１比重計測部、２１ａ，２２ａ…圧力計、２１ｃ，２２ｃ…容器、２１ｄ，２２ｄ…ドレーン管、２１ｖ，２２ｖ…バルブ、２２…第２比重計測部、２３…計測用泥水槽、２５…サイクロン装置、２６…粘度計測部、２８…排出管、３０…性状管理部、３１…制御部、３２…表示部、５０…砂分計、５１…水、５２…砂。
【図１】
2020091187.tif 000005
【図２】
2020091187.tif 000006
【図３】
2020091187.tif 000007